(57)【要約】【課題】  液体試料の漏洩を容易に確実に防止できる液体試料分析用ディスクを提供する。【解決手段】  液体試料を試料注入孔５を通じて内部流路に注入して遠心力で展開させ、光学的に走査して分析するための液体試料分析用ディスク２０において、ディスク表面を被覆して試料注入孔５を封止する接着シート１１を、試料注入孔５を含んだ所定領域に接着される接着面を剥離紙１２で保護し、残部の接着面でディスク表面に接着して予め設ける。これにより、作業者は、試料注入後に剥離紙１２を取り除いて接着シート１１をディスク表面に押圧するという簡単な作業で、接着シート１１を適正な位置に貼付して試料注入孔５を封止することができ、接着面に触れて接着力が低下することもないため、液体試料の漏洩を確実に防止できる。【選択図】  図４
2006145359.tif 000002
【特許請求の範囲】
【請求項１】
液体試料を試料注入孔を通じて内部流路に注入して遠心力で展開させ、光学的に走査して分析するための液体試料分析用ディスクにおいて、
ディスク表面を被覆して試料注入孔を封止する接着シートを、試料注入孔を含んだ所定領域に接着される接着面を剥離紙で保護し、残部の接着面でディスク表面に接着して予め設けた液体試料分析用ディスク。
【請求項２】
内部流路に連通した排気孔が形成され、接着シートは、試料注入孔と排気孔を含んだ所定領域に接着される接着面を剥離紙で保護して設けられた請求項１記載の液体試料分析用ディスク。
【請求項３】
接着シートは、光学的に走査されない領域のディスク表面を被覆するように設けられた請求項１記載の液体試料分析用ディスク。
【請求項４】
複数の内部流路と、そのそれぞれに連通した複数組の試料注入孔と排気孔とが形成され、接着シートは、複数組の試料注入孔と排気孔とを一括して被覆するように設けられた請求項３記載の液体試料分析用ディスク。
【請求項５】
複数の内部流路と、そのそれぞれに連通した複数組の試料注入孔と排気孔とが形成され、接着シートは、各組の試料注入孔と排気孔とを被覆するように個別に設けられた請求項３記載の液体試料分析用ディスク。
【請求項６】
各接着シートに設けられた剥離紙が、各内部流路に注入される液体試料と同一質量である請求項５記載の液体試料分析用ディスク。
【請求項７】
接着シートの接着面に背反する剥離紙の背面に粘着性が付与され、この剥離紙を介して各接着シートがディスク表面に仮固定された請求項１記載の液体試料分析用ディスク。
【請求項８】
接着シートは、剥離紙とともにディスク表面から立ち上がった姿勢で自立できる材料で形成された請求項１記載の液体試料分析用ディスク。
【請求項９】
剥離紙に掴みしろが形成された請求項１記載の液体試料分析用ディスク。
【請求項１０】
接着シートまたは剥離紙は、光が透過しない材料、もしくはディスク表面への接着後に接着領域の光の透過率を低下させる材料で形成された請求項１記載の液体試料分析用ディスク。
【請求項１１】
接着シートは、ディスク表面への接着の前後で接着領域の光の透過率を変化させる材料で形成された請求項１記載の液体試料分析用ディスク。
【請求項１２】
少なくとも試料注入孔の周りのディスク表面に微細な凹凸加工が施され、ディスク表面への粘着シートの接着の前後で凹凸加工部の光の透過率が変化するように構成された請求項１記載の液体試料分析用ディスク。
【請求項１３】
少なくとも試料注入孔が、ディスク表面から内部流路へ向かうにしたがって拡径し、外周側が傾斜面をなすテーパ状に形成された請求項１記載の液体試料分析用ディスク。
【発明の詳細な説明】
【技術分野】
【０００１】
本発明は、液体試料を展開させて光学的に分析するための液体試料分析用ディスクに関し、特にディスク内に注入した液体試料の漏洩を防止できる封止構造に関する。
【背景技術】
【０００２】
血液等の液体試料を分析するための試料分析装置として、液体試料を注入した液体試料分析用ディスクを回転させ、その際の遠心力で展開された液体試料の状態を光学的に読み取るようにした装置がある。
【０００３】
たとえば、特許文献１に記載された従来の試料分析装置は、図１７に示すように、液体試料分析用ディスク２０を回転軸２１などの機構部２２により回転させ、その際の遠心力でディスク２０の液体試料展開部２６で展開された液体試料中の粒子成分などの情報を発光部２３，受光部２４によって光学的に読み取り、制御解析部２５で解析し、プリンタなどに出力する。
【０００４】
機構部２２，発光部２３，受光部２４などに相当する光学的読取装置として、図１８に示すような、ＣＤ，ＤＶＤなどの光ディスクの記録再生に使用されているのと同様のドライブ装置が使用されることもある。かかるドライブ装置２７は、函体内部にターンテーブルなどの回転機構や光ピックアップを備えていて（図示せず）、光ディスクとほぼ同寸法に形成された液体試料分析用ディスク２０をトレイ２８により函体内部に収納し、ターンテーブルで回転させながら光ピックアップで走査して反射光あるいは透過光を検出し、電気信号に変換する。この検出信号を、試料分析装置の本体ＣＰＵに備わる制御解析部２５で画像処理して分析することになる。
【特許文献１】特開２００１−１２４６９０号公報
【発明の開示】
【発明が解決しようとする課題】
【０００５】
上述したように、液体試料分析用ディスク２０は、回転させることによって液体試料を展開させるものである。ところが分析対象の液体試料は、感染症の病原体を含む可能性がある血液などの生体試料であることが多く、分析時に液体試料が液体試料分析用ディスク２０から漏洩して飛散したり、漏洩した液体試料に作業者が触れてしまうと、作業者が病原体に感染してしまう事故が想定される。そこで液体試料の漏洩対策として、図１９に示すように、液体試料分析用ディスク２０の内部流路（図示せず）への試料注入後に、液体試料注入孔などの開口部２９を接着シート３０で封止することが考えられる。
【０００６】
しかし、接着シート３０の接着面に作業者の指などが触れて接着力が低下したり、あるいは接着シート３０を開口部２９に正確に貼り付けるのは容易でないため貼付位置がずれてしまう可能性があり、そのような接着シート３０で封止された液体試料分析用ディスク２０を回転させたときには液体試料が漏洩する恐れがある。また作業者は手袋を装着していることが多く、その状態では作業性が悪いため接着シート３０を正確に貼り付けるのはさらに容易でなく、液体試料が漏洩する危険性はより高まる。貼付位置のずれを防止するために、接着シート３０を予め適正な位置に貼り付けておき、一部分のみ剥して試料注入した後に再び貼り付けるという方法も考えられるが、接着シート３０の着脱を繰り返すことで接着力が低下する恐れがある。
【０００７】
本発明は上記した従来の問題に鑑みてなされたもので、液体試料の漏洩を容易かつ確実に防止できる液体試料分析用ディスクを提供することを目的とする。
【課題を解決するための手段】
【０００８】
本発明の請求項１にかかる液体試料分析用ディスクは、液体試料を試料注入孔を通じて内部流路に注入して遠心力で展開させ、光学的に走査して分析するための液体試料分析用ディスクにおいて、ディスク表面を被覆して試料注入孔を封止する接着シートを、試料注入孔を含んだ所定領域に接着される接着面を剥離紙で保護し、残部の接着面でディスク表面に接着して予め設けたことを特徴とする。これによれば、液体試料の注入後に接着シートの剥離紙を取り除いて、現れた接着面をディスク表面に押圧するだけで、試料注入孔を確実に封止でき、液体試料の漏洩を防止できる。
【０００９】
本発明の請求項２にかかる液体試料分析用ディスクは、内部流路に連通した排気孔が形成され、接着シートは、試料注入孔と排気孔を含んだ所定領域に接着される接着面を剥離紙で保護して設けられたことを特徴とする。
【００１０】
本発明の請求項３にかかる液体試料分析用ディスクは、接着シートが、光学的に走査されない領域のディスク表面を被覆するように設けられたことを特徴とする。
本発明の請求項４にかかる液体試料分析用ディスクは、複数の内部流路と、そのそれぞれに連通した複数組の試料注入孔と排気孔とが形成され、接着シートは、複数組の試料注入孔と排気孔とを一括して被覆するように設けられたことを特徴とする。
【００１１】
本発明の請求項５にかかる液体試料分析用ディスクは、複数の内部流路と、そのそれぞれに連通した複数組の試料注入孔と排気孔とが形成され、接着シートは、各組の試料注入孔と排気孔とを被覆するように個別に設けられたことを特徴とする。
【００１２】
本発明の請求項６にかかる液体試料分析用ディスクは、各接着シートに設けられた剥離紙が、各内部流路に注入される液体試料と同一質量であることを特徴とする。
本発明の請求項７にかかる液体試料分析用ディスクは、接着シートの接着面に背反する剥離紙の背面に粘着性が付与され、この剥離紙を介して各接着シートがディスク表面に仮固定されたことを特徴とする。
【００１３】
本発明の請求項８にかかる液体試料分析用ディスクは、接着シートが、剥離紙とともにディスク表面から立ち上がった姿勢で自立できる材料で形成されたことを特徴とする。
本発明の請求項９にかかる液体試料分析用ディスクは、剥離紙に掴みしろが形成されたことを特徴とする。
【００１４】
本発明の請求項１０にかかる液体試料分析用ディスクは、接着シートまたは剥離紙が、光が透過しない材料、もしくはディスク表面への接着後に接着領域の光の透過率を低下させる材料で形成されたことを特徴とする。
【００１５】
本発明の請求項１１にかかる液体試料分析用ディスクは、接着シートが、ディスク表面への接着の前後で接着領域の光の透過率を変化させる材料で形成されたことを特徴とする。
【００１６】
本発明の請求項１２にかかる液体試料分析用ディスクは、少なくとも試料注入孔の周りのディスク表面に微細な凹凸加工が施され、ディスク表面への粘着シートの接着の前後で凹凸加工部の光の透過率が変化するように構成されたことを特徴とする。
【００１７】
本発明の請求項１３にかかる液体試料分析用ディスクは、少なくとも試料注入孔が、ディスク表面から内部流路へ向かうにしたがって拡径したテーパ状に形成されたことを特徴とする。
【発明の効果】
【００１８】
本発明の液体試料分析用ディスクは、試料注入孔を封止するための接着シートを、試料注入孔への対応部の接着面を剥離紙で保護したうえで、残部の接着面でディスク表面に接着して予め取り付けているので、液体試料の注入後に剥離紙を剥がすだけで試料注入孔を容易に確実に封止することができ、液体試料の漏洩、それによる作業者の感染やバイオハザードを防止できる。
【発明を実施するための最良の形態】
【００１９】
以下、本発明の実施の形態を図面に基づいて詳細に説明する。
図１は本発明にかかる液体試料分析用ディスクの概略全体構成を示す斜視図、図２は同液体試料分析用ディスクの分解斜視図、図３は同液体試料分析用ディスクの要部断面図である。
【００２０】
この液体試料分析用ディスクは、先に図１７を用いて説明したような試料分析装置において、回転軸２１などの機構部２２により回転させて、ディスク内に予め注入した液体試料に関する情報を発光部２３，受光部２４で光学的に読み取って解析するためのものであり、ＣＤやＤＶＤといった光ディスクと同程度の寸法に形成されている。また液体試料に関する情報をディスク内での位置情報と併せて取得できるように、光ディスクと同様にピットなどが形成されている。
【００２１】
図１〜図３に示すように、液体試料分析用ディスク２０（以下、分析用ディスク２０という）は、上カバー１と下基板２との間に接着部材３を挟んで構成されており、センターホール４の周囲に、液体試料注入孔５（以下、試料注入孔５という）と排気孔６と内部流路７とを持った分析部８が複数個、軸心周りにほぼ均等に形成されている。
【００２２】
各分析部８において、試料注入孔５，排気孔６はディスク内周部に並んでおり、内部流路７は、試料注入孔５，排気孔６に両端部で連通していて、ディスク内周部から外方に延びた後に折り返してディスク内周部に戻るＵ形である。
【００２３】
試料注入孔５，排気孔６は、上カバー１を厚み方向に貫通しており、内部流路７は、上カバー１の接着部材３への接着面から約１００μｍ〜４００μｍ程度の深さで凹んでいる。内部流路７の途中には、液体試料の情報を光学的に読み取るための液体試料展開部９（以下、試料展開部９という）が少なくとも１箇所設定されている。
【００２４】
試料展開部９には通常、分析用試薬が配置される。分析用試薬としては、血液，尿等の生体試料などの液体試料に含まれる検査対象成分と反応して（たとえば酵素反応や免疫反応）、反応状態に応じた光学的変化（たとえば化学発光、蛍光）を生じ、それより検査対象成分の有無や濃度、あるいは検査対象物の数量などとして測定分析可能なものが用いられる。分析内容によっては、たとえば血球数の計測のように予め試料に分析用試薬を添加したり、不要な場合もある。
【００２５】
分析に際しては、注入器具１０（例えばシリンジやディスペンサ）によって試料注入孔５を通じて内部流路７内に液体試料を注入するが、排気孔６があるため速やかに注入することができる。試料注入後に、試料注入孔４及び排気孔５を封止するための接着シート１１を貼付したうえで回転させると、遠心力や内部流路７内の毛細管力によって液体試料が展開されるので、試料展開部９をレーザー光で走査することで液体試料中の粒子成分などの情報を得ることができる。液体試料の注入後の漏洩は接着シート１１によって防止できる。
【００２６】
ここで、接着シート１１は分析用ディスク２０の製造時に一部のみ接着して予め取り付けられている。この接着シート１１による封止構造を以下に詳細に説明する。分析用ディスク２０における分析部８の個数や、各分析部８における試料注入孔５，排気孔６，内部流路７の位置や形状は上記したものに限定されないので、種々の分析用ディスク２０を例示する。
【００２７】
図４に示す第１例の封止構造を備えた分析用ディスク２０は、一対の試料注入孔５及び排気孔６が並んで形成され、これらに連通する内部流路（図示せず）が形成されている。
図４（ａ）に示すように、接着シート１１は、ディスク内周部からディスク外周部にわたって被覆可能な円環形に形成されていて、試料注入孔５と排気孔６とを一括して被覆できる。また接着シート１１は、その一面全体にわたる接着面の半面にのみ、一回り大きい半円環形の剥離紙１２が貼付されていて、剥離紙１２が貼付されていない接着面の半面で、試料注入孔５と排気孔６を含まない上カバー１のディスク半面に対して接着されている。試料注入孔５と排気孔６を含んだディスク半面に対しては、剥離紙１２が対向していて、試料注入孔５及び排気孔６は封止されていない。この分析用ディスク２０は請求項１及び請求項２に対応する。
【００２８】
液体試料の注入にあたっては、図４（ｂ）に示すように、剥離紙１２が貼付された接着シート１１の半円環部を持ち上げた状態で、注入器具１０により試料注入孔５を通じて液体試料を注入する。注入終了後に、図４（ｃ）に示すように、剥離紙１２を接着シート１１から剥がしてフレッシュな接着面１１ａを露出させ、図４（ｄ）に示すように、接着面１１ａを折り返してディスク表面に押圧して貼り合わせる。
【００２９】
この際に、接着シート１１は上記したように試料注入孔５と排気孔６を含んだディスク半面に対する領域が剥離紙１２で保護され、残部でディスク表面に取り付けられているため、接着シート１１の位置ズレや、接着面に作業者の指等が触れて接着力低下が誘発されることはなく、試料注入孔５および排気孔６を容易に確実に封止できる。
【００３０】
図５に示す第２例の封止構造を備えた分析用ディスク２０は、図４を用いて説明したものとほぼ同様に形成されているが、接着シート１１は、剥離紙１２が貼付された半円環部をもう一方の半円環部側に折り畳み可能に形成されている。このため、液体試料の注入が終了するまで接着シート１１を折り畳み状態としておくことができ、作業性がよい。
【００３１】
図６に示す第３例の封止構造を備えた分析用ディスク２０は、図４を用いて説明したものとほぼ同様に形成されているが、接着シート１１は、剥離紙１２が貼付された半円環部が、剥離紙１２とともにディスク表面から立ち上がった姿勢で自立可能に形成されている。このため、作業者は液体試料を注入する際に接着シート１１の一部を把持する必要がなく、煩わしさを感じることなく作業を行える。この分析用ディスク２０は請求項８に対応する。
【００３２】
上記した第２例および第３例の分析用ディスク２０の接着シート１１の性状は、たとえばアルミニウム系シート（日東電工製  プロセルフシリーズ／ニトムズなど）を用いることで実現される。
【００３３】
図７に示す第４例の封止構造を備えた分析用ディスク２０は、図４を用いて説明したものとほぼ同様に形成されているが、接着シート１１に、分析領域（通常は上述した試料展開部９）に対応する開口部１１ｂが設けられている。剥離紙は剥がした状態で示している。この構造によれば、分析用ディスク２０の分析領域を光学的に走査するレーザー光が接着シート１１で妨げられることがなく、分析精度を確保できる。この分析用ディスク２０は請求項３に対応する。
【００３４】
図８に示す第５例の封止構造を備えた分析用ディスク２０は、図４を用いて説明したものとほぼ同様に形成されているが、図８（ａ）に示すように、接着シート１１に貼付された剥離紙１２に、接着シート１１から部分的にはみ出す掴みしろ（タブ）１２ａが形成されている。掴みしろ１２ａの位置は、作業者が掴み易い位置、ここでは半円環形の剥離紙１２の頂部と底部のほぼ中間である。この分析用ディスク２０は請求項９に対応する。
【００３５】
この構造によれば、掴みしろ１２ａをつかんで接着シート１１を矢印方向に持ち上げ（図８（ｂ））、その状態で試料注入孔５を通じて試料注入した後、そのまま掴みしろ１２ａを矢印方向に引くだけで剥離紙１２を取り除くことができ（図８（ｃ））、しかる後に接着シート１１をディスク表面に押圧するだけで貼り合わせることができる（図８（ｄ））。剥離紙１２を接着シート１１から分離する細かい作業が不要であるため、作業者は手袋を着用していても容易に作業を行える。
【００３６】
図９に示す第６例の封止構造を備えた分析用ディスク２０は、複数の内部流路が形成され（図示せず；図１参照）、上カバー１に、内部流路のそれぞれに連通した試料注入孔５と排気孔６とが複数組、形成されている。
【００３７】
接着シート１１は、複数組の試料注入孔５と排気孔６とを一括して被覆可能に、ディスク内周部からディスク外周部にわたって被覆可能なほぼ円環形に形成され、かつ適当位置に配置されていて、一部分のみ外周方向に舌状に突出して形成された突出部１１ｃでディスク表面に接着されている。突出部１１ｃ以外の接着面には剥離紙１２が貼付され、この剥離紙１２が、複数組の試料注入孔５と排気孔６を含んだディスク表面に対向していて、試料注入孔５及び排気孔６はいずれも封止されていない。
【００３８】
この構造によれば、１回の封止作業で複数組の試料注入孔５及び排気孔６を封止することができ、作業がより簡便となる。この分析用ディスク２０は請求項４に対応する。
図１０に示す第７例の封止構造を備えた分析用ディスク２０は、図９に示した分析用ディスク２０と同様に、複数の内部流路が形成され、上カバー１に、内部流路のそれぞれに連通した試料注入孔５と排気孔６とが複数組、形成されている。
【００３９】
接着シート１１は、１対の試料注入孔５と排気孔６ごとに個別に被覆するように複数枚設けられている。各接着シート１１は、１対の試料注入孔５と排気孔６とを一括して被覆可能に、ディスク内周部からディスク外周部におよぶ扇形に形成され、かつ適当位置に配置されていて、ディスク半径方向に沿う一側部１１ｄの接着面でディスク表面に接着されている。各接着シート１１の一側部１１ｄ以外の接着面にはそれより一回り大きな剥離紙１２が貼付され、その剥離紙１２が、試料注入孔５と排気孔６とその周囲部分のディスク表面に対向していて、試料注入孔５及び排気孔６はいずれも封止されていない。
【００４０】
この構造によれば、１対の試料注入孔５及び排気孔６ごとに個別に封止できることから、任意の内部流路のみ使用する場合にそれに対応する試料注入孔５及び排気孔６のみを封止したり、あるいは複数の内部流路の全てに順次に液体試料を注入する場合に、注入終了した内部流路に対応する試料注入孔５及び排気孔６を順次に速やかに封止することができる。よって、個別の液体試料を別々の時に、また別々の分析に、付すことなどが可能であり、その際の液体試料の漏洩を防止して作業者の安全を確保できる。この分析用ディスク２０は請求項５に対応する。
【００４１】
１つの内部流路に注入される液体試料の質量とその内部流路に対応する接着シート１１から取り除かれる剥離紙１２の質量とが同一もしくはほぼ同一となるように、剥離紙１２を選定しておくのが望ましい。それにより、分析用ディスク２０の回転時の偏心及び面振れを抑えることができる。例えば、液体試料として血液７０μｌを注入する場合、血液の比重は通常１．０５〜１．０６なので、各剥離紙１２を７３．５〜７４．２ｍｇになるように選定すればよい。この構成は請求項６に対応する。
【００４２】
図１１に示す第８例の封止構造を備えた分析用ディスク２０は、図１０を用いて説明したものとほぼ同様に形成されているが、接着シート１１に背反する剥離紙１２の背面が容易に剥がせる程度のタック性を持つ接着面１２ｂとされ、ディスク表面に仮固定されている。これは、任意の内部流路のみ使用してディスク回転させる時に、使用していない内部流路に対応する接着シート１１および剥離紙１２がバタついてしまう可能性があるからであり、仮固定させておくことで、バタつきを防止できる。望ましくは、ディスク表面に完全に接着された接着シート１１の一側部１１ｄは、ディスク回転時に先行する側とされる。それにより仮固定部分が風圧でめくれあがるのを防止できる。この分析用ディスク２０は請求項７に対応する。
【００４３】
図１２は分析用ディスク２０の径方向に沿う断面を示した一部拡大断面図である。
図１２（ａ）に示すように、試料注入孔５は、ディスク表面から内部流路へ向かうにしたがって拡径するように、特に外周側の壁面５ａが外方へ傾斜するように、テーパ状に形成されている。この分析用ディスク２０は請求項１３に対応する。
【００４４】
図１２（ｂ）は、試料注入孔５から液体試料１３を注入して接着シート１１で封止した状態を示す。この時点では分析用ディスク２０を回転させていないため、液体試料１３は重力のみの作用で試料注入孔５の底部、すなわち内部流路７の端部に溜まっている。
【００４５】
分析用ディスク２０を回転させ始めると、図１２（ｃ）に示すように、液体試料１３は遠心力の作用によって展開し始め、ディスクの外周方向に移動する。このとき液体試料１３の一部が試料注入孔５の外周側の壁面５ａに押し付けられるが、壁面５ａが外周側へ傾斜しているため、液体試料１３が試料注入孔５の入り口まで逆流することはない。
【００４６】
回転させ始めてから充分な時間がたったら、図１２（ｄ）に示すように、試料注入孔５付近には液体試料１３は残らず、液体試料１３が試料注入孔５から漏洩・飛散する危険はない。
【００４７】
排気孔６については図示を省略するが、試料注入孔５と同様のテーパ状とすることで同様に液体試料１３の漏洩・飛散を防止できる。このような試料注入孔５，排気孔６の構造を上記した接着シート１１による封止構造と組み合わせることで、液体試料の漏洩・飛散防止の効果をさらに高めることができる。
【００４８】
次に、試料注入孔５及び排気孔６が接着シート１１によって確実に封止されているか否かを検査する検査方法を説明する。簡便のために試料注入孔５とその周辺部のみを図示するが、排気孔６の封止も同様にして検査可能である。特に断らない限り、上記した各例の分析用ディスク２０で実施可能である。
（第１の検査方法）
接着シート１１は、レーザー光を透過させないか、もしくはレーザー光の透過率が低下するような材料（例えばＮＤフィルタ）で形成しておく。この構成は請求項１０に対応する。
【００４９】
試料注入前の分析用ディスク２０を上述した試料分析装置にセットし、図１３（ａ）に示すように、発光部２３からのレーザー光２７を試料注入孔５に照射し、その透過光２７ａを受光部２４で受光させて、封止前のデータとして分析装置に記憶させておく。
【００５０】
試料注入後、分析開始に先立って、試料注入孔５にレーザー光２７を照射し、その透過光２７ａ´を受光部２４で受光させる。
そして、透過光２７ａ´のデータと封止前の透過光２７ａのデータとを比較する。透過光２７ａに対する透過光２７ａ´の透過率の低下が検出されないときは、試料注入孔５を封止する接着シートが存在せず、試料注入孔５は封止されていない（図１３（ａ）と同じ状態）と判定する。透過光２７ａに対する透過光２７ａ´の透過率の低下が検出されたときは、図１３（ｂ）に示すように、試料注入孔５を封止する接着シートが存在しており、試料注入孔５は封止されていると判定する。
【００５１】
このように、試料注入前に試料注入孔５および排気孔６を光で走査してその透過率を読み取っておき、試料注入後に再び光で走査してその透過率を読み取り、先の読み取り値と比較することによって、接着シート１１の貼付けの有無を検出して、試料注入孔５及び排気孔６が接着シート１１で封止されているか否かを判定することができる。これにより、接着シート１１を貼付することなく分析用ディスク２０を回転させてしまう誤操作を防止できる。
（第２の検査方法）
図１４（ａ）に示すように、接着シート１１が剥離紙１２を介してディスク表面に仮固定されている構造（先に図１１を用いて説明したのと同様の構造）では、試料注入孔は接着シート１１，剥離紙１２で遮蔽されているので、第１の検査方法のように接着シート１１がないときの透過光のデータを取得することはできない。そこで剥離紙１２をレーザー光を通さない材料（例えば東レ製  ルミラーX30）で形成しておく。この構成は請求項１０に対応する。
【００５２】
試料注入後、分析開始に先立って、試料注入孔５にレーザー光２７を照射し、受光部２４で受光させる。
この際の試料注入孔５の透過光が０であるときは、剥離紙１２が介在していて、接着シート１１がディスク表面に仮固定されている（図１４（ａ）と同じ状態）と判定する。透過光が検出されたときは、図１４（ｂ）に示したように、剥離紙１２が取り除かれて、接着シート１１がディスク表面に完全に接着固定されていて、試料注入孔５が封止されていると判定する。
【００５３】
このようにして、透過光２７ａの有無から、接着シート１１の仮固定あるいは完全な貼付けを判定できる。これにより、接着シート１１を貼付することなく分析用ディスク２０を回転させてしまう誤操作を防止できる。
（第３の検査方法）
接着シート１１は、ディスク表面への接着の前後で接着領域の光透過率を変化させる接着材（例えば住友３Ｍ製のメンディングテープなど）で形成しておく。この構成は請求項１１に対応する。
【００５４】
試料注入前に、図１５（ａ）に示すように、試料注入孔５を接着シート１１で封止した状態で、試料注入孔５の周辺部に接着シート１１が正しく接着されていない状態、例えば気泡やコンタミ等により接着シート１１が浮いている状態での透過光２７ａ″を受光部２４で受光させ、そのデータを予め分析装置内部に記憶させておく。
【００５５】
液体試料を注入して接着シート１１で封止した後、分析開始に先立って、図１５（ｂ）に示すように、試料注入孔５の周囲を連続して一回り大きい円を描くようにレーザー光２７を照射して、受光部２４で受光する透過光２７ａのデータを監視する。
【００５６】
そして、たとえば図１５（ｃ）に示すような試料注入孔４の周辺の接合面５ｂ（確実に接着シート１１が接着されることを要する領域）について得られる透過光２７ａのデータが、先に記憶させた透過光２７ａ″のデータに一致すれば、接着シート１１によって試料注入孔５が確実に封止されていないと判定する。接合面５ｂを一周トレースする間に受光する透過光２７ａのデータが先の透過光２７ａ″のデータに一致しなければ、接着シート１１によって試料注入孔５が確実に封止されていると判定する。
【００５７】
このようにして、接着シート１１が正しく接着されていない状態での透過光２７ａ″のデータを予め取得し、実際の分析開始前に得る透過光透過光２７ａのデータを比較することにより、接着シート１１の貼り合わせ異常を判別できる。
（第４の検査方法）
上カバー１の試料注入孔５の周辺部の表面（たとえば上記した図１５の接合面３５）に、図１６に示すように、すりガラスのような光が乱反射する凹凸加工を施しておく。また透明な接着シート１１（例えば日東電工製、透明セロハンテープなど）を用いる。この構成は請求項１２に対応する。
【００５８】
液体試料を注入して接着シート１１で封止した後、分析開始に先立って、上記した第３の検査方法と同様して透過光を調べる。図１６（ａ）に示すように、接着シート１１が確実に接着されていなければ、上カバー１の表面の凹凸部分１ｂで乱反射が起こるため、その部分の透過率は低くなる。図１６（ｂ）に示すように、接着シート１１が確実に接着されていれば、接着シート１１の粘着材１１ｅで凹凸部１ｂが埋められて乱反射がなくなるため、その部分の透過率は高くなる。よって、透過率の違いから貼り合わせの良否を容易に判定することができ、貼り合わせ異常の判別の確実性が向上する。ただし、接着シート１１の粘着材１１ｅが凹凸部１ｂの窪みに入るので、凹凸部１ｂの高低差は粘着材１１ｅの厚みより小さくしておく必要がある。
【００５９】
以上の第１から第４の検査方法のような手順で、試料注入孔５及び排気孔６の部分の接着シート１１の状態を検出及び判定することができる。試料注入孔５及び排気孔６の部分に接着シート１１が存在しない、もしくは試料注入孔５及び排気孔６が確実に封止されていないと判定された時に、分析を開始せずに作業者等のユーザーへ知らせたり、ディスクを排出するように分析装置を構成しておけば、貼り合わせ不良による分析装置での液体試料の漏洩や飛散を防止することができる。
【００６０】
なお第１から第４の検査方法では、分析用ディスク２０を４００ｒｐｍ程度で回転させて透過光を調べればよい。４００ｒｐｍという回転数は、例えば血液中の血球成分を遠心分離する際の回転数が４０００ｒｐｍであることからも理解されるように十分に低く、この程度の低い回転数であれば液体試料の漏洩や飛散は生じない。
【産業上の利用可能性】
【００６１】
本発明の液体試料分析用ディスクは、ディスク内に注入された液体試料の漏洩を容易に確実に防止することができ、生物学的、化学的、生化学的な液体試料を光学的に分析する際の作業者の安全を確保するために特に有用である。
【図面の簡単な説明】
【００６２】
【図１】本発明の一実施形態における液体試料分析用ディスクの概略全体構成を示す斜視図
【図２】図１の液体試料分析用ディスクの分解斜視図
【図３】図１の液体試料分析用ディスクの要部断面図
【図４】本発明の第１例の封止構造を備えた分析用ディスクの封止手順を説明する工程図
【図５】本発明の第２例の封止構造を備えた分析用ディスクの封止前の斜視図
【図６】本発明の第３例の封止構造を備えた分析用ディスクの封止前の斜視図
【図７】本発明の第４例の封止構造を備えた分析用ディスクの封止後の斜視図
【図８】本発明の第５例の封止構造を備えた分析用ディスクの封止手順を説明する工程図
【図９】本発明の第６例の封止構造を備えた分析用ディスクの封止前の斜視図
【図１０】本発明の第７例の封止構造を備えた分析用ディスクの封止前の斜視図
【図１１】本発明の第８例の封止構造を備えた分析用ディスクの封止前の斜視図
【図１２】本発明の封止構造と組み合わせて形成される液体試料注入孔の形状および同液体試料注入孔を通じて注入された液体試料の展開状況を説明する断面図
【図１３】封止状態を検査する第１の検査方法を説明する工程断面図
【図１４】封止状態を検査する第２の検査方法を説明する工程断面図
【図１５】封止状態を検査する第３の検査方法を説明する工程断面図
【図１６】封止状態を検査する第４の検査方法を説明する工程断面図
【図１７】従来よりある試料分析装置の概略全体構成図
【図１８】図１７の試料分析装置に用いられる光学的読取装置の外観斜視図
【図１９】従来の液体試料分析用ディスクの斜視図
【符号の説明】
【００６３】
１    上カバー
1a    凹凸部
５    液体試料注入孔
5a    壁面
６    排気孔
７    内部流路
11    接着シート
11a   接着面
11b   開口部
11c   突出部
11d   一側部
11e   粘着材
12    剥離紙
12a   掴みしろ
12b   接着面
13    液体試料
20    液体試料分析用ディスク
【図１】
2006145359.tif 000003
【図２】
2006145359.tif 000004
【図３】
2006145359.tif 000005
【図４】
2006145359.tif 000006
【図５】
2006145359.tif 000007
【図６】
2006145359.tif 000008
【図７】
2006145359.tif 000009
【図８】
2006145359.tif 000010
【図９】
2006145359.tif 000011
【図１０】
2006145359.tif 000012
【図１１】
2006145359.tif 000013
【図１２】
2006145359.tif 000014
【図１３】
2006145359.tif 000015
【図１４】
2006145359.tif 000016
【図１５】
2006145359.tif 000017
【図１６】
2006145359.tif 000018
【図１７】
2006145359.tif 000019
【図１８】
2006145359.tif 000020
【図１９】
2006145359.tif 000021